(57)【要約】【課題】優れた表示品位を有するＥＷＤを提供する。【解決手段】ＥＷＤ１は、第１の基板１１と、第２の基板１２と、隔壁部１５と、誘電体層１４と、電極１２ｅと、非極性液体１７及び極性液体１６と、球形スペーサ２０とを備える。第２の基板１２は、第１の基板１１とギャップをおいて対向している。隔壁部１５は、第２の基板１２の上に、第１の基板１１から離間して設けられている。隔壁部１５は、第１の基板１１と第２の基板１２との間の空間１０ａを複数のセルＣに区画している。球形スペーサ２０は、隔壁部１５と第１の基板１１との間に配されている。【選択図】図１
2015022012.tif 000002
【特許請求の範囲】
【請求項１】
第１の基板と、
前記第１の基板とギャップをおいて対向している第２の基板と、
前記第２の基板の上に、前記第１の基板から離間して設けられており、前記第１の基板と前記第２の基板との間の空間を複数のセルに区画する隔壁部と、
前記第２の基板の前記第１の基板側の表面の上に配されており、疎水性表面を有する誘電体層と、
前記複数のセルのそれぞれに配されており、前記誘電体層を分極させる電極と、
前記複数のセルのそれぞれにおいて、前記疎水性表面上に配された非極性液体及び前記非極性液体と混和しない極性液体と、
前記隔壁部と前記第１の基板との間に配された球形スペーサと、
を備える、エレクトロウェッティングディスプレイ。
【請求項２】
可視波長域において、前記非極性液体の光透過率が前記極性液体の光透過率よりも低く、
前記球形スペーサの表面が、前記疎水性表面よりも高い親水性を有する、請求項１に記載のエレクトロウェッティングディスプレイ。
【請求項３】
前記球形スペーサと、前記第１の基板及び隔壁部の少なくとも一方とを接着している接着層をさらに備え、
前記接着層の表面が、前記疎水性表面よりも高い親水性を有する、請求項１または２に記載のエレクトロウェッティングディスプレイ。
【請求項４】
前記接着層の屈折率が、前記極性液体の屈折率と、前記球形スペーサの屈折率との間に位置している、請求項３に記載のエレクトロウェッティングディスプレイ。
【請求項５】
前記隔壁部は、格子状に設けられており、
前記球形スペーサは、前記隔壁部の交差部の上に配されている、請求項１〜４のいずれか一項に記載のエレクトロウェッティングディスプレイ。
【請求項６】
前記球形スペーサと隣接するセルに設けられた電極は、電圧が印加された際に前記非極性液体が前記球形スペーサから遠ざかる方向に移動するように構成されている、請求項１〜５のいずれか一項に記載のエレクトロウェッティングディスプレイ。
【請求項７】
前記球形スペーサと隣接するセルの前記球形スペーサと隣接する角部と対角に位置する角部に前記電極が位置しない部分が設けられている、請求項５または６に記載のエレクトロウェッティングディスプレイ。
【請求項８】
前記複数のセルは、
赤色の画素を構成している赤色セルと、
緑色の画素を構成している緑色セルと、
青色の画素を構成している青色セルと、
を含み、
前記隔壁部は、前記球形スペーサが配された台座部を有し、
前記台座部により、前記緑色セルが前記赤色セル及び前記青色セルよりも小さくされている、請求項１〜７のいずれか一項に記載のエレクトロウェッティングディスプレイ。
【請求項９】
前記複数のセルは、
赤色の画素を構成している赤色セルと、
緑色の画素を構成している緑色セルと、
青色の画素を構成している青色セルと、
白色の画素を構成している白色セルと、
を含み、
前記隔壁部は、前記球形スペーサが配された台座部を有し、
前記台座部により、前記白色セルが、前記赤色セル、前記緑色セル及び前記青色セルよりも小さくされている、請求項１〜７のいずれか一項に記載のエレクトロウェッティングディスプレイ。
【請求項１０】
前記台座部により、前記緑色セルが前記赤色セル及び前記青色セルよりも小さくされている、請求項９に記載のエレクトロウェッティングディスプレイ。
【請求項１１】
前記球形スペーサの直径が前記隔壁部の高さよりも大きい、請求項１〜１０のいずれか一項に記載のエレクトロウェッティングディスプレイ。
【請求項１２】
前記球形スペーサの直径が前記隔壁部の高さの１０倍以上である、請求項１１に記載のエレクトロウェッティングディスプレイ。
【発明の詳細な説明】
【技術分野】
【０００１】
本発明は、エレクトロウェッティングディスプレイに関する。
【背景技術】
【０００２】
近年、電子ペーパーなどの用途に好適に用いられるディスプレイとして、エレクトロウェッティング効果を利用したエレクトロウェッティングディスプレイ（ＥｌｅｃｔｒｏＷｅｔｔｉｎｇ  Ｄｉｓｐｌａｙ：ＥＷＤ）が注目されている（例えば、特許文献１等を参照）。特許文献１に記載のエレクトロウェッティングディスプレイは、互いに対向して配された一対の基板と、一対の基板間の領域を複数のセルに区画する画素壁とを有する。画素壁は、一方の基板の上に配されており、他方の基板と画素壁とは離間している。
【先行技術文献】
【特許文献】
【０００３】
【特許文献１】特開２０１２−６８５０６号公報
【発明の概要】
【発明が解決しようとする課題】
【０００４】
エレクトロウェッティングディスプレイの表示品位を向上したいという要望がある。
【０００５】
本発明の主な目的は、優れた表示品位を有するエレクトロウェッティングディスプレイを提供することにある。
【課題を解決するための手段】
【０００６】
本発明に係るエレクトロウェッティングディスプレイは、第１の基板と、第２の基板と、隔壁部と、誘電体層と、電極と、非極性液体及び極性液体と、球形スペーサとを備える。第２の基板は、第１の基板とギャップをおいて対向している。隔壁部は、第２の基板の上に、第１の基板から離間して設けられている。隔壁部は、第１の基板と第２の基板との間の空間を複数のセルに区画している。誘電体層は、第２の基板の第１の基板側の表面の上に配されている。誘電体層は、疎水性表面を有する。電極は、複数のセルのそれぞれに配されている。電極は、誘電体層を分極させる。非極性液体及び極性液体は、複数のセルのそれぞれにおいて、疎水性表面上に配されている。極性液体は、非極性液体と混和しない。球形スペーサは、隔壁部と第１の基板との間に配されている。
【０００７】
可視波長域において、非極性液体の光透過率が極性液体の光透過率よりも低くてもよい。その場合、球形スペーサの表面が、疎水性表面よりも高い親水性を有することが好ましい。
【０００８】
本発明に係るエレクトロウェッティングディスプレイは、球形スペーサと、第１の基板及び隔壁部の少なくとも一方とを接着している接着層をさらに備えていてもよい。その場合、接着層の表面が、疎水性表面よりも高い親水性を有することが好ましい。
【０００９】
接着層の屈折率が、極性液体の屈折率と、球形スペーサの屈折率との間に位置していることが好ましい。
【００１０】
隔壁部は、格子状に設けられていてもよい。その場合、球形スペーサは、隔壁部の交差部の上に配されていることが好ましい。
【００１１】
球形スペーサと隣接するセルに設けられた電極は、電圧が印加された際に非極性液体が球形スペーサから遠ざかる方向に移動するように構成されていることが好ましい。
【００１２】
球形スペーサと隣接するセルの球形スペーサと隣接する角部と対角に位置する角部に電極が位置しない部分が設けられていることが好ましい。
【００１３】
複数のセルは、赤色の画素を構成している赤色セルと、緑色の画素を構成している緑色セルと、青色の画素を構成している青色セルとを含んでいてもよい。隔壁部は、球形スペーサが配された台座部を有していてもよい。その場合、台座部により、緑色セルが赤色セル及び青色セルよりも小さくされていることが好ましい。
【００１４】
複数のセルは、赤色の画素を構成している赤色セルと、緑色の画素を構成している緑色セルと、青色の画素を構成している青色セルと、白色の画素を構成している白色セルとを含んでいてもよい。隔壁部は、球形スペーサが配された台座部を有していてもよい。その場合、台座部により、白色セルが、赤色セル、緑色セル及び青色セルよりも小さくされていることが好ましい。台座部により、緑色セルが赤色セル及び青色セルよりも小さくされていることがより好ましい。
【００１５】
球形スペーサの直径が隔壁部の高さよりも大きくてもよい。球形スペーサの直径が隔壁部の高さの１０倍以上であることが好ましい。
【発明の効果】
【００１６】
本発明によれば、優れた表示品位を有するエレクトロウェッティングディスプレイを提供することができる。
【図面の簡単な説明】
【００１７】
【図１】第１の実施形態に係るエレクトロウェッティングディスプレイの略図的断面図である。
【図２】第１の実施形態における隔壁部及びスペーサの略図的平面図である。
【図３】第１の実施形態に係るエレクトロウェッティングディスプレイの動作を説明するための略図的断面図である。
【図４】第１の実施形態に係るエレクトロウェッティングディスプレイの電圧印加時の略図的平面図である。
【図５】第２の実施形態に係るエレクトロウェッティングディスプレイの略図的断面図である。
【図６】第３の実施形態における隔壁部及びスペーサの略図的平面図である。
【図７】第４の実施形態における隔壁部及びスペーサの略図的平面図である。
【図８】第５の実施形態における隔壁部及びスペーサの略図的平面図である。
【図９】第６の実施形態における隔壁部及びスペーサの略図的平面図である。
【発明を実施するための形態】
【００１８】
以下、本発明を実施した好ましい形態の一例について説明する。但し、下記の実施形態は、単なる例示である。本発明は、下記の実施形態に何ら限定されない。
【００１９】
また、実施形態等において参照する各図面において、実質的に同一の機能を有する部材は同一の符号で参照することとする。また、実施形態等において参照する図面は、模式的に記載されたものである。図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００２０】
（第１の実施形態）
図１は、本実施形態に係るエレクトロウェッティングディスプレイ１の略図的断面図である。図２は、本実施形態における隔壁部及びスペーサの略図的平面図である。
【００２１】
図１に示されるように、エレクトロウェッティングディスプレイ１は、素子本体１０を備えている。素子本体１０は、内部空間１０ａを有する。
【００２２】
具体的には、素子本体１０は、第１の基板１１と、第２の基板１２とを備える。第１の基板１１と第２の基板１２とは、内部空間１０ａを介して互いに間隔をおいて対向している。第１の基板１１と第２の基板１２との間には、側壁部を構成しているシール材１３が配されている。これらシール材１３並びに第１及び第２の基板１１，１２により内部空間１０ａが区画形成されている。
【００２３】
第１の基板１１は、基板本体１１ａと、コモン電極１１ｂとを有する。コモン電極１１ｂは、基板本体１１ａの第２の基板１２側の主面の上に配されている。一方、第２の基板１２は、基板本体１２ａと、ＴＦＴ１２ｂと、配線部１２ｃと、平坦化膜１２ｄと、画素電極１２ｅと、コモン電極１２ｆとを有する。
【００２４】
基板本体１１ａ，基板本体１２ａは、例えば、ガラス、樹脂成型体及びフィルム等により構成することができる。
【００２５】
コモン電極１１ｂは透明電極であることが好ましい。コモン電極１１ｂは、例えば、ＩＴＯ（スズドープ酸化インジウム）等の透明導電性酸化物などにより構成することができる。
【００２６】
画素電極１２ｅ及びコモン電極１２ｆは、それぞれ、平坦化膜１２ｄ上に形成されている。画素電極１２ｅ及びコモン電極１２ｆは、それぞれ、ビアホール電極１２ｄａを介してＴＦＴ１２ｂ及び配線部１２ｃに接続されている。
【００２７】
画素電極１２ｅ及びコモン電極１２ｆは、それぞれ、例えば、インジウムスズ酸化物（ＩＴＯ）等の透明導電性酸化物などや、アルミニウムや銅等の金属などにより構成することができる。
【００２８】
誘電体層１４は、第２の基板１２の第１の基板１１側の表面の上に配されている。具体的には、誘電体層１４は、素子本体１０の内表面上に配されている。具体的には、誘電体層１４は、第２の基板１２の上に配されている。この誘電体層１４は、画素電極１２ｅ及びコモン電極１２ｆが設けられた領域を含め、基板本体１２ａの第１の基板１１側の主面の実質的に全体を覆うように設けられている。
【００２９】
誘電体層１４の表面は、例えばフッ素樹脂の塗布及び熱処理などの公知の方法により、撥水化処理されている。このため、誘電体層１４の第１の基板１１側の表面は、疎水性表面を構成している。すなわち、誘電体層１４は、疎水性表面を有する。誘電体層１４には、コモン電極１１ｂと画素電極１２ｅとによって電圧が印加される。これにより、誘電体層１４が分極する。
【００３０】
第２の基板１２の誘電体層１４の上には、第１の基板１１側に向かって延びる隔壁部１５が設けられている。隔壁部１５は、第１の基板１１から離間して設けられている。すなわち、隔壁部１５と第１の基板１１との間にはギャップが設けられている。この隔壁部１５により、内部空間１０ａが複数のセルＣに区画されている。具体的には、本実施形態では、隔壁部１５は、格子状に設けられている。よって、略矩形状の複数のセルＣがマトリクス状に設けられている。
【００３１】
なお、隔壁部１５の高さは、第１の基板１１と第２の基板１２との間の距離の０．０１倍〜０．２倍であることが好ましく、０．０５倍〜０．１倍であることがより好ましい。隔壁部１５と第１の基板１１との間の距離は、隔壁部１５の高さの３倍〜５０倍であることが好ましく、５倍〜３０倍であることがより好ましい。隔壁部１５の高さは、セルＣの幅の０．０１倍〜０．４倍であることが好ましく、０．０３倍〜０．２倍であることがより好ましい。隔壁部１５の幅は、セルＣの幅の０．０３倍〜０．５倍であることが好ましく、０．０５倍〜０．２倍であることがより好ましい。
【００３２】
複数のセルＣは、全て同色の画素を構成していてもよい。また、複数のセルＣは、赤色の画素を構成している赤色セル、緑色の画素を構成している緑色セル、及び、青色の画素を構成している青色セルを含んでいてもよい。複数のセルＣは、赤色セル、緑色セル、青色セル、及び白色の画素を構成している白色セル等の他色のセルを含んでいてもよい。
【００３３】
複数のセルＣのそれぞれには、コモン電極１１ｂと共に誘電体層１４を分極させる画素電極１２ｅと、コモン電極１２ｆとが配されている。なお、コモン電極１２ｆは、コモン電極１１ｂと同電位の電極である。
【００３４】
各セルＣには、極性液体１６と非極性液体１７とが充填されている。極性液体１６と非極性液体１７とは、内部空間１０ａ内において、誘電体層１４の疎水性表面上に配されている。極性液体１６の表面エネルギーが相対的に高く、非極性液体１７の表面エネルギーが相対的に低い。極性液体１６は、親水性を有する高表面エネルギー液体により構成されている。非極性液体１７は、疎水性を有する低表面エネルギー液体により構成されている。このため、極性液体１６と非極性液体１７とは、実質的に混和しない。
【００３５】
非極性液体１７は、顔料や染料を含み、着色されている。すなわち、非極性液体１７は、可視波長域に吸収帯を有する。一方、極性液体１６は、着色されておらず、吸収帯を有さない。このため、可視波長域において、非極性液体１７の透過率は、極性液体１６の透過率よりも低い。
【００３６】
エレクトロウェッティングディスプレイ１では、誘電体層１４の表面が疎水性表面を構成している。このため、コモン電極１１ｂと画素電極１２ｅとの間に電圧が印加されていない状態では、非極性液体１７の方が、極性液体１６よりも誘電体層１４に対する親和性が高い。従って、コモン電極１１ｂと画素電極１２ｅとの間に電圧が印加されていない状態では、誘電体層１４の実質的に全体が非極性液体１７により覆われている。
【００３７】
図３に示されるように、画素電極１２ｅに電圧（ＥＶ）を印加し、画素電極１２ｅとコモン電極１１ｂとの間に電位差を設けると、画素電極１２ｅと極性液体１６とが電極として機能し、誘電体層１４の画素電極１２ｅの上に位置する部分が分極する。その結果、極性液体１６が、誘電体層１４の画素電極１２ｅの上に位置する部分に静電作用で引きつけられる。一方、コモン電極１２ｆとコモン電極１１ｂとの間には電位差が生じない。このため、誘電体層１４のコモン電極１２ｆの上に位置する部分は分極せず、当該部分の表面は、疎水性表面のままである。このため、誘電体層１４の画素電極１２ｅの上に位置する部分を覆っていた非極性液体１７が、誘電体層１４のコモン電極１１ｂの上に位置する部分の上に押しのけられる。よって、非極性液体１７の単位面積あたりの被覆率が低下する。その結果、セルＣの光透過率が変化する。エレクトロウェッティングディスプレイ１では、この原理を用いて、画像表示が行われる。
【００３８】
本発明者らは、鋭意研究した結果、隔壁部と第１の基板との間にギャップが設けられているエレクトロウェッティングディスプレイにおいては、第１の基板が自重等により変形することにより表示品位が悪化していることを見いだした。具体的には、例えば、第１の基板にうねりや波打ちが生じることにより、エレクトロウェッティングディスプレイの表示品位が悪化していることを見いだした。
【００３９】
そこで、本実施形態では、隔壁部１５と第１の基板１１との間に、球形スペーサ２０が設けられている。この球形スペーサ２０により第１の基板１１の変形が抑制されている。従って、エレクトロウェッティングディスプレイ１は、優れた表示品位を有する。
【００４０】
球形スペーサ２０は、透光性を有していることが好ましい。これにより球形スペーサ２０を設けることによる表示品位の低下を抑制することができる。また、球形スペーサ２０は、格子状に設けられた隔壁部１５の交差部の上に配されている。このため、球形スペーサ２０により覆われるセルＣの面積割合が低い。従って、球形スペーサ２０を設けることにより表示品位の低下がより効果的に抑制されている。
【００４１】
なお、「球形スペーサ」とは、短径に対する長径の比（（長径）／（短径））が０．６〜１．０であるスペーサをいう。球形スペーサは、真球形状のスペーサに限定されない。
【００４２】
第１の基板１１の変形を抑制する観点からは、隔壁部１５を第１の基板１１に至るように設け、隔壁部１５により第１の基板１１を支持することが考えられる。しかしながら、その場合は、透光性が低く、一般的に遮光性を有する隔壁部１５の高さが高くなるため、エレクトロウェッティングディスプレイの視野角が小さくなる。また、高い隔壁部は、作製が困難である。膜を形成した後にエッチングすることにより隔壁部を形成した場合は、隔壁部の横断面形状が略台形となる。従って、隔壁部の底面の幅が広くなり、開口率が低くなるという問題も生じる。
【００４３】
本実施形態のように、球形スペーサ２０を設け、隔壁部１５を低くすることにより、エレクトロウェッティングディスプレイ１の視野角を大きくすることができる。また、開口率を高めることができるため、エレクトロウェッティングディスプレイ１の輝度を高めることができる。これらの観点から、球形スペーサ２０の直径は、隔壁部１５の高さよりも大きいことが好ましく、隔壁部１５の高さの５倍以上であることがより好ましく、１０倍以上であることがさらに好ましい。球形スペーサ２０の直径が隔壁部１５の幅の２倍以上であることが好ましく、３倍以上であることがより好ましい。
【００４４】
但し、球形スペーサ２０は、隔壁部１５よりも幅広になる可能性がある。このため、球形スペーサ２０を用いた場合には、着色された非極性液体１７が、球形スペーサ２０に付着することにより、表示品位が悪化する懸念がある。そこで、本実施形態では、球形スペーサ２０の表面を、誘電体層１４の疎水性表面よりも高い親水性を有する表面としている。このため、球形スペーサ２０に非極性液体１７が付着することにより表示品位が悪化することが抑制されている。なお、球形スペーサ２０は、親水性材料により構成されていてもよいし、表面が親水性処理されたものであってもよい。
【００４５】
さらに、本実施形態では、画素電極１２ｅとコモン電極１２ｆとは、画素電極１２ｅとコモン電極１１ｂとの間に電圧が印加された際に非極性液体１７が球形スペーサ２０から遠ざかる方向に移動するように構成されている。具体的には、図２及び図４に示されるように、球形スペーサ２０と隣接するセルＣにおいて、セルＣの球形スペーサ２０と隣接する角部と対角に位置する角部に画素電極１２ｅが位置しない領域が設けられており、当該領域にコモン電極１２ｆが設けられている。このため、画素電極１２ｅとコモン電極１１ｂとの間に電位差が生じた際に、非極性液体１７が、コモン電極１２ｆが位置する、球形スペーサ２０から離れた部分に移動する。このため、球形スペーサ２０に非極性液体１７が付着することにより表示品位が悪化することがより効果的に抑制されている。
【００４６】
なお、画素電極１２ｅのみを設け、コモン電極１２ｆを設けなくてもよい。
【００４７】
（第２の実施形態）
図５は、第２の実施形態に係るエレクトロウェッティングディスプレイ１ａの略図的断面図である。図５に示されるように、球形スペーサ２０と、第１の基板１１及び隔壁部１５の少なくとも一方とは、接着層２１により接着されている。本実施形態では、具体的には、接着層２１は、球形スペーサ２０と、第１の基板１１及び隔壁部１５のそれぞれとを接着している。これにより、球形スペーサ２０の第１及び第２の基板１１，１２並びに隔壁部１５に対する相対的位置関係がずれることが抑制されている。
【００４８】
接着層２１の表面は、誘電体層１４の疎水性表面よりも高い親水性を有することが好ましい。すなわち、接着層２１の表面が親水性表面により構成されていることが好ましい。着色された非極性液体１７が接着層２１に付着することによる表示品位の劣化を抑制できるためである。
【００４９】
接着層２１の屈折率が、極性液体１６の屈折率と、球形スペーサ２０の屈折率の間に位置していることが好ましい。この場合、球形スペーサ２０と接着層２１との間の界面、接着層２１と極性液体１６との間の界面における光の反射を抑制できるためである。接着層２１の屈折率と、球形スペーサ２０の屈折率との差、及び、接着層２１の屈折率と、極性液体１６の屈折率との差は、それぞれ、０．２０以下であることが好ましく、０．１５以下であることがより好ましい。
【００５０】
（第３の実施形態）
図６は、第３の実施形態における隔壁部及びスペーサの略図的平面図である。図６に示されるように、隔壁部１５は、球形スペーサ２０の下方に位置する台座部１５ａを有していてもよい。台座部１５ａを設けることにより、球形スペーサ２０をより安定的に配置することができる。本実施形態では、台座部１５ａは、格子状に設けられた隔壁部１５の交差部に設けられており、交差部に隣接する４つのセルＣの全てに至っている。
【００５１】
（第４の実施形態）
図７は、第４の実施形態における隔壁部及びスペーサの略図的平面図である。図７に示されるように、本実施形態では、台座部１５ａは、赤色セル（Ｒ）、緑色セル（Ｇ）、青色セル（Ｂ）、白色セル（Ｗ）のうち、白色セル（Ｗ）に設けられている。従って、白色セル（Ｗ）が、赤色セル（Ｒ）、緑色セル（Ｇ）、青色セル（Ｂ）よりも小さくされている。
【００５２】
（第５の実施形態）
図８は、第５の実施形態における隔壁部及びスペーサの略図的平面図である。図８に示されるように、本実施形態でＡｈ、台座部１５ａは、赤色セル（Ｒ）、緑色セル（Ｇ）、青色セル（Ｂ）のうち、緑色セル（Ｇ）に設けられている。従って、緑色セル（Ｇ）が、赤色セル（Ｒ）及び青色セル（Ｂ）よりも小さくされている。
【００５３】
（第６の実施形態）
図９は、第６の実施形態における隔壁部及びスペーサの略図的平面図である。図９に示されるように、本実施形態では、台座部１５ａは、赤色セル（Ｒ）、緑色セル（Ｇ）、青色セル（Ｂ）、白色セル（Ｗ）のうち、白色セル（Ｗ）及び緑色セル（Ｇ）に設けられている。従って、白色セル（Ｗ）及び緑色セル（Ｇ）が、赤色セル（Ｒ）、緑色セル（Ｇ）、青色セル（Ｂ）よりも小さくされている。白色セル（Ｗ）及び緑色セル（Ｇ）は、同じ面積であってもよいが、白色セル（Ｗ）が緑色セル（Ｇ）よりも小さいことが好ましい。
【符号の説明】
【００５４】
１、１ａ：エレクトロウェッティングディスプレイ
１０：素子本体
１０ａ：内部空間
１１：第１の基板
１１ａ：基板本体
１１ｂ：コモン電極
１２：第２の基板
１２ａ：基板本体
１２ｂ：ＴＦＴ
１２ｃ：配線部
１２ｄ：平坦化膜
１２ｄａ：ビアホール電極
１２ｅ：画素電極
１２ｆ：コモン電極
１３：シール材
１４：誘電体層
１５：隔壁部
１５ａ：台座部
１６：極性液体
１７：非極性液体
２０：球形スペーサ
２１：接着層
【図１】
2015022012.tif 000003
【図２】
2015022012.tif 000004
【図３】
2015022012.tif 000005
【図４】
2015022012.tif 000006
【図５】
2015022012.tif 000007
【図６】
2015022012.tif 000008
【図７】
2015022012.tif 000009
【図８】
2015022012.tif 000010
【図９】
2015022012.tif 000011